(57)【特許請求の範囲】
【請求項１】
昇降自在とされたネットを備える屋上設置型球技施設を管理する屋上設置型球技施設管理システムであって、
前記ネットを昇降させるネット昇降機構と、外部センサと、制御装置とを備え、
前記外部センサは、温度計を有し、
前記制御装置は、入力信号処理部と、メモリと、判定部と、制御処理部と、出力信号処理部とを有し、
前記判定部は、前記外部センサから入力される気温の計測値が、メモリに予め格納されている規制値を下回るか否かを判定してその判定結果を前記制御処理部に送出し、前記制御処理部は判定結果が計測された気温が規制値を下回るとするものであれば、ネットを降下させる降下指令を生成してその降下指令を出力信号処理部に送出し、前記出力信号処理部は前記降下指令に応答してネット降下信号をネット昇降機構に出力し、
前記ネット昇降機構は、前記ネット降下信号に応答してネットを降下させる
ことを特徴とする屋上設置型球技施設管理システム。
【請求項２】
外部センサは、風速計を付加して有し、
判定部は、前記外部センサから入力される風速の計測値が、メモリに予め格納されている規制値を超えるか否かを判定してその判定結果を制御処理部に送出し、前記制御処理部は判定結果が計測された風速が規制値を超えるとするものであれば、ネットを降下させる降下指令を生成してその降下指令を出力信号処理部に送出し、前記出力信号処理部は前記降下指令に応答してネット降下信号をネット昇降機構に出力する
ことを特徴とする請求項１記載の屋上設置型球技施設管理システム。
【請求項３】
撮像装置と、画像表示装置とを付加して備え、
制御装置が、前記撮像装置からの撮像画像を処理する画像処理部を有する
ことを特徴とする請求項１記載の屋上設置型球技施設管理システム。
【請求項４】
警報装置を付加して備えてなることを特徴とする請求項１記載の屋上設置型球技施設管理システム。
【請求項５】
警報ランプを付加して備えてなることを特徴とする請求項１記載の屋上設置型球技施設管理システム。
【請求項６】
制御装置がタイマーを有し、ネット昇降機構が営業開始前において前記タイマーによりセットされた時刻に起動させられたネットが上昇させられてなることを特徴とする請求項１記載の屋上設置型球技施設管理システム。
【請求項７】
照明設備を付加して備え、
外部センサが、光センサを有し、
制御装置が、前記光センサからの信号に基づいて前記照明設備を点灯または消灯するようにされてなる
ことを特徴とする請求項１記載の屋上設置型球技施設管理システム。
【発明の詳細な説明】
【技術分野】
【０００１】
本発明は屋上設置型球技施設管理システムに関する。さらに詳しくは、ボールの飛散を防止するために防球ネットが設けられた屋上設置型球技施設管理システムに関する。
【背景技術】
【０００２】
従来より、建物の屋上の有効利用の一環として屋上にテニスコートなどを設けることがなされている。
【０００３】
かかるテニスコートなどにおいては、ボールの施設外への飛散を防止するたにネットが周囲に設けられている。このネットは一般的には金網とされている。
【０００４】
しかしながら、ネットを金網とした場合には、台風などの際における取り外しが困難なため、支柱の強度をネットに作用する風圧にも耐えるようなものとしなければならない。そのため、施設規模に比して支柱および支柱を支える基礎が過大なものになるという問題がある。それに伴い、躯体に余分な負荷を与えるという問題もある。
【０００５】
なお、特許文献１には、防球ネット支持装置の提案がなされている。
【先行技術文献】
【特許文献】
【０００６】
【特許文献１】実用新案登録第３０４３４１３号公報
【発明の開示】
【発明が解決しようとする課題】
【０００７】
本発明はかかる従来技術の課題に鑑みなされたものであって、ネットを昇降自在にするとともに、その昇降が気象変化に応じて自動的になし得る屋上設置型球技施設管理システムを提供することを目的としている。
【課題を解決するための手段】
【０００８】
本発明の屋上設置型球技施設管理システムは、昇降自在とされたネットを備える屋上設置型球技施設を管理する屋上設置型球技施設管理システムであって、前記ネットを昇降させるネット昇降機構と、外部センサと、制御装置とを備え、前記外部センサは、温度計を有し、前記制御装置は、入力信号処理部と、メモリと、判定部と、制御処理部と、出力信号処理部とを有し、前記判定部は、前記外部センサから入力される気温の計測値が、メモリに予め格納されている規制値を下回るか否かを判定してその判定結果を前記制御処理部に送出し、前記制御処理部は判定結果が計測された気温が規制値を下回るとするものであれば、ネットを降下させる降下指令を生成してその降下指令を出力信号処理部に送出し、前記出力信号処理部は前記降下指令に応答してネット降下信号をネット昇降機構に出力し、前記ネット昇降機構は、前記ネット降下信号に応答してネットを降下させることを特徴とする。
【０００９】
本発明の屋上設置型球技施設管理システムの第１形態においては、外部センサは、風速計を付加して有し、判定部は、前記外部センサから入力される風速の計測値が、メモリに予め格納されている規制値を超えるか否かを判定してその判定結果を制御処理部に送出し、前記制御処理部は判定結果が計測された風速が規制値を超えるとするものであれば、ネットを降下させる降下指令を生成してその降下指令を出力信号処理部に送出し、前記出力信号処理部は前記降下指令に応答してネット降下信号をネット昇降機構に出力することを特徴とする。
【００１１】
本発明の屋上設置型球技施設管理システムにおいては、撮像装置と、画像表示装置とを付加して備え、制御装置が、前記撮像装置からの撮像画像を処理する画像処理部を有するのが好ましい。
【００１２】
また、本発明の屋上設置型球技施設管理システムにおいては、警報装置を付加して備えてなるのが好ましい。
【００１３】
また、本発明の屋上設置型球技施設管理システムにおいては、警報ランプを付加して備えてなるのが好ましい。
【００１４】
また、本発明の屋上設置型球技施設管理システムにおいては、制御装置がタイマーを有し、ネット昇降機構が営業開始前において前記タイマーによりセットされた時刻に起動させられてネットが上昇させられてなるのが好ましい。
【００１５】
また、本発明の屋上設置型球技施設管理システムにおいては、照明設備を付加して備え、外部センサが、光センサを有し、制御装置が、前記光センサからの信号に基づいて前記照明設備を点灯または消灯するようにされてなるのが好ましい。
【発明の効果】
【００１６】
本発明は前記の如く構成されているので、風速が規制値を超えたり、気温が低下して規制値を下回ったりした場合に自動的にネットを降下させることができるという優れた効果を奏する。
【図面の簡単な説明】
【００１７】
【図１】本発明の実施形態１に係る屋上設置型球技施設管理システムのブロック図である。
【図２】同管理システムの管理対象を有する屋上設置型球技施設の一例の概略図である。
【図３】ネット昇降機構の一例の概略図である。
【図４】本発明の実施形態２に係る屋上設置型球技施設管理システムのブロック図である。
【図５】本発明の実施形態３に係る屋上設置型球技施設管理システムのブロック図である。
【図６】本発明の実施形態４に係る屋上設置型球技施設管理システムのブロック図である。
【発明を実施するための形態】
【００１８】
以下、添付図面を参照しながら本発明を実施形態に基づいて説明するが、本発明はかかる実施形態のみに限定されるものではない。
【００１９】
実施形態１
図１に本発明の実施形態１に係る屋上設置型球技施設管理システム(以下、単に管理システムという)Ｓをブロック図で示し、図２に同管理システムの管理対象を有する屋上設置型球技施設(以下、単に施設という)Ｆの一例を概略図で示す。なお、施設Ｆには、屋上テニスコート、屋上フットサルコートなどが含まれる。
【００２０】
施設Ｆは、図２に示すように、建物の屋上に配設された基礎枠Ｆ１に鉄骨構造の施設外枠Ｆ２を配設し、その内側に合成樹脂製のネットＮを昇降自在に張設してなるものとされる。なお、図示はされていないが、照明設備および音声出力装置(例えば、スピーカー)が、施設外枠Ｆ２の適宜位置に取り付けられている。
【００２１】
管理システムＳは、図１に示すように、外部センサ１０と、入力装置２０と、管理対象３０と、外部センサ１０からの信号に基づいて管理対象３０の動作処理をなす制御装置４０とを主要構成要素として備えてなるものとされる。
【００２２】
外部センサ１０には、風速計１１、温度計１２、および光センサ１３が含まれる。なお、光センサ１３は、フォトスイッチとされてもよい。
【００２３】
風速計１１を設けるのは、計測された風速が規制値を超えた場合にネットＮを降下させるためである。温度計１２を設けるのは、気温が低下して規制値を下回った場合に、ネットＮへの着氷や積雪を防止するためにネットＮを降下させるためである。光センサ１３を設けるのは、日没などにより施設Ｆ内が暗くなった場合に照明設備を点灯するためである。
【００２４】
入力装置２０は、管理システムＳを手動と自動とに切り替える手動・自動切替スイッチ２１を有するとともに、図示はされていないが、手動時にネットＮを降下させる降下ボタンと、ネットＮを上昇させる上昇ボタンと、照明設備を点灯および消灯させる点灯・消灯スイッチとを有するものとされる。
【００２５】
管理対象３０には、ネットＮを昇降させるネット昇降機構３１、照明設備３２、音声出力装置３３、および警報設備３４が含まれる。
【００２６】
図３に、ネット昇降機構３１の一例を概略図で示す。
【００２７】
ネット昇降機構３１は、図３に示すように、モータ駆動とされたウインチ３１ａを中心的構成要素として備え、ワイヤ３１ｂにより張設されたネットＮを、ネットＮを張設しているワイヤ３１ｂをウインチ３１ａにより巻き出したり巻き戻したりすることにより昇降させるものとされる。なお、ウインチ３１ａは、例えば施設外枠Ｆ２の支柱Ｆ３下部の適宜位置に配設され、ワイヤ３１ｂは滑車３１ｃを介してウインチ３１ａに巻回されている。
【００２８】
照明設備３２および音声出力装置３３は、公知のものと同様とされている。
【００２９】
警報設備３４には、警報ランプ３４ａおよび警報ブザー３４ｂが含まれる。警報ランプ３４ａおよび警報ブザー３４ｂは、例えば制御装置４０が格納されている制御盤の正面に配設される。
【００３０】
制御装置４０は、入力信号処理部４１と、メモリ４２と、判定部４３と、制御処理部４４と、出力信号処理部４５とを備えてなるものとされる。
【００３１】
入力信号処理部４１は、外部センサ１０からの入力信号を処理して制御処理部４４およびメモリ４２に送出するものとされる。つまり、入力信号処理部４１は、風速計１１からの風速信号、温度計１２からの外気温度信号、および光センサ１３からの明暗信号を処理して判定部４３およびメモリ４２に送出するものとされる。なお、光センサ１３に替えてフォトスイッチが用いられた場合には、フォトスイッチからの信号は、後述する照明処理部に直接送出される。
【００３２】
メモリ４２は、制御処理部４４の処理に必要なデータ、入力信号処理部４１から入力される風速などのデータを記憶するものとされる。例えば、メモリ４２には、風速の規制値、着氷温度、音声パターンデータなどが格納されている。
【００３３】
判定部４３は、外部センサ１０から入力される計測値と、メモリ４２に格納されている規制値とを比較して計測値が規制値内にあるか否か判定し、その判定結果を制御処理部４４に送出するものとされる。
【００３４】
制御処理部４４は、ネット昇降機構３１のネットＮの昇降を処理する昇降処理部４４ａと、照明設備３２の点灯および消灯を処理する照明処理部４４ｂと、音声出力装置３３の音声出力を処理する音声出力処理部４４ｃと、警報処理部４４ｄとを含み、外部センサ１０からの計測値に基づいて動作指令を生成して出力信号処理部４５に送出するものとされる。
【００３５】
出力信号処理部４５は、制御処理部４４から入力される動作指令に応答して管理対象３０に動作信号を送出するものとされる。つまり、昇降処理部４４ａからの昇降指令に応答して昇降信号を生成してネット昇降機構３１に送出し、照明処理部４４ｂからの点灯・消灯指令に応答して点灯・消灯信号を生成して照明設備３２に送出し、音声処理部４４ｃからの音声出力指令に応答して音声出力信号を生成して音声出力装置３３に送出し、警報処理部４４ｄからの警報指令に応答して警報信号を生成して警報設備３４に送出するものとされる。
【００３６】
ここで、制御装置４０は、前記各部を構成するようプロクラムが格納されたマイコンを中心に構成され、例えば施設Ｆの管理室(図示省略)に設置される。
【００３７】
次に、かかる構成とされた管理システムＳによる風速に応じたネットＮの昇降について説明する。
【００３８】
Ａ）風速に応じてネットＮを降下させる場合
ステップ１：判定部４３は、風速計１１により計測された風速をメモリ４２に予め設定されている規制値と比較し、計測された風速が規制値を超えているか否か判定する。
【００３９】
ステップ２：判定部４３は、判定結果を昇降処理部４４ａ、音声処理部４４ｃおよび警報処理部４４ｄに送出する。
【００４０】
ステップ３：昇降処理部４４ａは、入力された判定結果が、風速の計測値が規制値を超えるとするものであれば、ネットＮを降下させるネット降下指令を生成する。
【００４１】
ステップ４：昇降処理部４４ａは、生成したネット降下指令を出力信号処理部４５に送出する。
【００４２】
ステップ５：音声処理部４４ｃは、入力された判定結果が、風速の計測値が規制値を超えるとするものであれば、例えば、「これからネットＮを降下させますので、コート内からの退場をお願いします。」というアナウンスをなすための音声出力指令を生成する。ここで、音声出力指令の生成は、メモリ４２に予め格納されている音声パターンデータを選択することによりなされる。
【００４３】
ステップ６：音声処理部４４ｃは、生成した音声出力指令を出力信号処理部４５に送出する。
【００４４】
ステップ７：警報処理部４４ｄは、入力された判定結果が、風速の計測値が規制値を超えるとするものであれば、警報ランプ３４ａを点灯させる警報ランプ点灯指令、および警報ブザー３４ｂを吹奏させる警報ブザー吹奏指令を生成する。
【００４５】
ステップ８：警報処理部４４ｄは、生成した警報ランプ点灯指令および警報ブザー吹奏指令を出力信号処理部４５に送出する。
【００４６】
ステップ９：出力信号処理部４５は、音声信号処理部４４ｃからの音声出力指令に応答して音声出力信号を生成して音声出力装置３３に送出する。
【００４７】
ステップ１０：出力信号処理部４５は、警報処理部４４ｄからの警報ランプ点灯指令および警報ブザー吹奏指令に応答して警報ランプ点灯信号および警報ブザー吹奏信号を警報設備３４に出力する。
【００４８】
ステップ１１：出力信号処理部４５は、音声出力信号の送出から所定時間経過にネット降下指令に応答してネット降下信号を生成してネット昇降機構３１に出力する。ここで、所定時間は、例えば５分とされる。
【００４９】
しかして、音声出力装置３３は、入力された音声信号に基づいてアナウンスをする。例えば、「これからネットＮを降下させますので、コート内から退場をお願いします。」というアナウンスをする。また、警報設備３４は、入力された警報ランプ点灯信号に応答して警報ランプ３４ａを点灯するとともに、入力された警報ブザー吹奏信号に応答して警報ブザー３４ｂを吹奏する。
【００５０】
ついで、所定時間経過後にネット昇降機構３１は入力されたネット降下信号に応答しネットを降下させる。
【００５１】
Ｂ）風速に応じてネットを上昇させる場合
ステップ２１：判定部４３は、風速計１１により計測された風速をメモリ４２に予め設定されている規制値と比較し、計測された風速が規制値を超えているか否か判定する。
【００５２】
ステップ２２：判定部４３は、判定結果を昇降処理部４４ａおよび音声処理部４４ｃに送出する。
【００５３】
ステップ２３：昇降処理部４４ａは、入力された判定結果が、風速の計測値が規制値を超えていないとするものであれば、ネットＮを上昇させるネット上昇指令を生成する。
【００５４】
ステップ２４：昇降処理部４４ａは、生成したネット上昇指令を出力信号処理部４５に送出する。
【００５５】
ステップ２５：音声処理部４４ｃは、入力された判定結果が、風速の計測値が規制値を超えないとするものであれば、例えば、「これからネットＮを上昇させますので、コートに近づかないようお願いします。」というアナウンスをなすための音声出力指令を生成する。ここで、音声出力指令の生成は、メモリ４２に予め格納されている音声パターンデータを選択することによりなされる。
【００５６】
ステップ２６：音声処理部４４ｃは、生成した音声出力指令を出力信号処理部４５に送出する。
【００５７】
ステップ２７：出力信号処理部４５は、音声信号処理部４４ｃからの音声出力指令に応答して音声出力信号を生成して音声出力装置３３に出力する。
【００５８】
ステップ２８：出力信号処理部４５は、音声出力信号の送出から所定時間経過にネット上昇指令に応答してネット上昇信号を生成してネット昇降機構３１に出力する。ここで、所定時間は、例えば５分とされる。
【００５９】
しかして、音声出力装置３３は、入力された音声信号に基づいてアナウンスをする。例えば、「これからネットＮを上昇させますので、コートに近づかないようお願いします。」というアナウンスをする。
【００６０】
ついで、所定時間経過後にネット昇降機構３１は入力されたネット上昇信号に応答しネットＮを上昇させる。
【００６１】
なお、気温に応じてネットＮを昇降させる場合は、判定部４３において計測された気温が規制値を下回るか否か判定される他は、前述した風速に応じてネットＮを昇降させる場合と同様とされる。
【００６２】
このように、本実施形態によれば、風速および気温に応じてネットＮが昇降されるので、ネットＮが台風などの暴風時に風圧を受けることがなくなるとともに、ネットＮへの着氷や積雪が防止されるので、施設外枠Ｆ２や建物に余分な負荷がかかるのが防止される。
【００６３】
実施形態２
図４に、本発明の実施形態２に係る管理システムＳをブロック図で示す。
【００６４】
実施形態２は、実施形態１を改変してなるものであって、気象予報会社と契約し、気象予報会社からの気象予報に基づいてネットＮの昇降などを行うようにされてなるものとされる。なお、その余の構成は実施形態１と同様とされているので、実施形態２の実施形態１と異なる点を中心に説明し、実施形態１と同様の部分は、同一の符号を付してその説明は省略する。
【００６５】
制御装置４０は、図４に示すように、気象予報会社の通信設備Ｗとの通信をなす通信部４６を備えてなるものとされる。なお、図示例においては、通信は無線が想定されているが、通信は無線に限定されるものではなく有線とされてもよい。
【００６６】
気象予報会社は、施設Ｆ付近の風速が規制値を超えると予測すると、風速が規制値を超えるとの警報信号を制御装置４０の通信部４６に送信する。警報信号を受信した通信部４６は、警報信号を入力信号処理部４１に送出する。
【００６７】
入力信号処理部４１は、入力された警報信号を判定部４３を通すことなく直接、制御処理部４４に送出する。つまり、入力信号処理部４１は、警報信号を昇降処理部４４ａ、音声処理部４４ｃ、警報処理部４４ｄに送出する。
【００６８】
以下、実施形態１と同様にしてネットＮの降下等がなされる。
【００６９】
なお、ネットＮの上昇は、安全の見地から風速計１１の計測値に基づいて、実施形態１と同様にしてなされる。
【００７０】
このように、本実施形態によれば、防風の発生前にネットＮを降下させることができるので、実施形態１に比して安全性の向上が図られる。
【００７１】
実施形態３
図５に、本発明の実施形態３に係る管理システムＳをブロック図で示す。
【００７２】
実施形態３は、実施形態１を改変してなるものであって、制御装置４０にタイマー４７を設け、所定時刻にネットＮを自動的に昇降させるようにされてなるものとされる。例えば、営業開始時刻の３０分前にネットＮを自動的に上昇させるとともに、営業終了時刻の３０分後にネットＮを自動的に降下させるようにされてなるものとされる。ただし、風速計１１により計測された風速が規制値を超える場合には、判定部４３における判定が優先される。
【００７３】
なお、その余の構成は実施形態１と同様とされているので、その余の構成の説明は省略する。
【００７４】
このように、本実施形態によれば、営業開始前にネットＮを自動的に上昇させることができるとともに、営業終了後にネットＮを自動的に降下させることができるので、省力化が図られる。
【００７５】
実施形態４
図６に、本発明の実施形態４に係る管理システムＳをブロック図で示す。
【００７６】
実施形態４は、実施形態１を改変してなるものであって、コートに撮像装置５０、例えば監視カメラ５１を設け、管理室に画像表示装置６０、例えばモニタ６１を設け、制御装置４０に撮像装置５０からの画像を処理して出力信号処理部４５に送出する画像処理部４８を設けてなるものとされる。
【００７７】
なお、その余の構成は実施形態１と同様とされているので、その余の構成の説明は省略する。
【００７８】
このように、本実施形態によれば、管理人は管理室にいながらにしてコートの状況を把握することができる。
【００７９】
以上、本発明を実施形態に基づいて説明してきたが、本発明はかかる実施形態のみに限定されるものではなく、種々改変が可能である。
【００８０】
例えば、実施形態１では、警報ランプ３４ａおよび警報ブザー３４ｂは制御装置４０を収納する制御盤に配設されているが、警報ランプ３４ａおよび警報ブザー３４ｂは支柱Ｆ３に配設されてもよい。
【産業上の利用可能性】
【００８１】
本発明はスポーツ産業に適用できる。
【符号の説明】
【００８２】
Ｓ          管理システム
Ｆ          施設
Ｆ１        基礎枠
Ｆ２        施設外枠
Ｆ３        支柱
Ｎ          ネット
Ｗ          通信設備
１０          外部センサ
１１          風速計
１２          温度計
１３          光センサ
２０          入力装置
２１          手動・自動切替スイッチ
３０          管理対象
３１          ネット昇降機構
３１ａ        ウインチ
３１ｂ        ワイヤ
３１ｃ        滑車
３２          照明設備
３３          音声出力装置
３４          警報設備
３４ａ        警報ランプ
３４ｂ        警報ブザー
４０          制御装置
４１          入力信号処理部
４２          メモリ
４３          判定部
４４          制御処理部
４４ａ        昇降処理部
４４ｂ        照明処理部
４４ｃ        音声出力処理部
４４ｄ        警報処理部
４５          出力信号処理部
４６          通信部
４７          タイマー
４８          画像処理部
５０          撮像装置
５１          監視カメラ
６０          画像表示装置
６１          モニタ
【図１】
0006607605.tif 000002
【図２】
0006607605.tif 000003
【図３】
0006607605.tif 000004
【図４】
0006607605.tif 000005
【図５】
0006607605.tif 000006
【図６】
0006607605.tif 000007